Podtech/llm-jp-corpus-v4-ja_patent huggingface dataset:
(57)【要約】      （修正有）【課題】自転車を折り畳んだ状態で９０度倒立でき、駐輪面積を小さくすることができる折り畳み自転車を提供する。【解決手段】自転車のシートチューブやシートポスト、サドルの後部やその周辺に、駐輪兼移動用の車輪を取り付ける。【選択図】図２
0003172778.tif 000002
【実用新案登録請求の範囲】
【請求項１】
折り畳み自転車のシートチューブ後部または、シートポストやサドルの後部に、駐輪兼移動用の車輪を取り付けて、軽快な移動を可能とした。
【請求項２】
折り畳んだ自転車を、更に９０度倒立させることで折り畳み箇所の削減を図り、フレーム剛性を保ち高性能な走りを維持しながら、保管場所の省スペース化という相反する難題を解決した。
【考案の詳細な説明】
【考案の概要】
【考案が解決しようとする課題】
【０００１】  折り畳み自転車は、携帯性を良くすると車輪が極端に小さかったり、複雑に何カ所も折り畳むことで剛性が低下し、走行性能が著しく悪化する。逆に走行性能を重視するとコンパクトとさに欠け、携帯性が著しく低下するという欠点があった。
また、折り畳んだ自転車は、縦方向に低くすぎて持ち手が届かないので腰を屈めて中腰を強いられ腰痛の原因になっていた。その解決策として、ハンドルポストを畳まずに取手として利用するしかなかったが、ハンドルが横に広がったままなので、人混みの多い場所では使いにくかった。この課題を解消するためになされたものである。
【課題を解決するための手段】
【０００２】  メインフレームとリアフレームの二分割式折り畳み自転車のシートチューブ後部または、シートポストやサドルの後部に１つ、そして、メインフレームとリアフレームの接続部リアフレーム側に１つの合計２組みの駐輪兼移動用の車輪を取り付けて、２つ折りにした自転車を更に９０度倒立させて、駐輪スペースの省スペース化と、高性能な走りを両立した。
【考案の効果】
【０００３】  折り畳み箇所をハンドルポストの１ヶ所にメインフレームとリアフレームの接続部の１ヶ所の合計２ヶ所と必要最低限に止め、高い剛性を維持することで高性能な走りを可能にし、かつ９０度倒立させることで上からの投影面積を小さく収めながら、縦方向に程良い高さを確保することで、ヘッドチューブやフロントホイールの高さが持ち手の位置にくるので、高い携帯性を両立した。
【課題を解決するための手段】
【０００４】  横方向へ左右どちらへも３６０度回転する自由車輪４をシートチューブ３の後部に取り付ける。メインフレーム１とリアフレーム２の接続部５ｂに補助輪６を取り付ける。リアフレーム２がスイングしてメインフレーム１の下部に収納されると、補助輪６が路面に接地し、更に補助輪６を起点にして、自転車本体を後方へ９０度倒すと自由車輪４と補助輪６で自立を可能にした。このときヘッドチューブ１３が、持ち手の高さと丁度良い位置にくるので、腰を屈めること無く楽な姿勢で、軽快な移動が可能になった。
【図面の簡単な説明】
【図１】  本考案の取り付け位置を示した側面図である。
【図２】  本考案の使用状態を示す側面図である。
【符号の説明】
【０００５】  １．メインフレーム
２．リアフレーム
３．シートチューブ
４．自由車輪
５ａ  接続部メインフレーム側
５ｂ  接続部リアフレーム側
６．補助輪
７．クランク
８．サドル
９．シートポスト
１０．フロントフォーク
１１．ハンドル
１２．ハンドルポスト
１３．ヘッドチューブ
１４．フロントホイール
１５．リアホイール
【図１】
0003172778.tif 000003
【図２】
0003172778.tif 000004
【手続補正書】
【提出日】平成23年9月29日(2011.9.29)
【手続補正１】
【補正対象書類名】実用新案登録請求の範囲
【補正対象項目名】全文
【補正方法】変更
【補正の内容】
【実用新案登録請求の範囲】
【請求項１】
自転車のシートチューブやシートポストまたはサドルの後部やその周辺に駐輪兼移動用の車輪を取り付けて９０度倒立の駐輪と移動を可能にした折り畳み自転車。
【手続補正２】
【補正対象書類名】明細書
【補正対象項目名】全文
【補正方法】変更
【補正の内容】
【考案の詳細な説明】
【考案の概要】
【考案が解決しようとする課題】
【０００１】  折り畳み自転車は、携帯性を良くすると車輪が極端に小さかったり、複雑に何カ所も折り畳むことで剛性が低下し、走行性能が著しく悪化する。逆に走行性能を重視するとコンパクトとさに欠け、携帯性が著しく低下するという欠点があった。
また、折り畳んだ自転車は、縦方向に低くすぎて持ち手が届かないので腰を屈めて中腰を強いられ腰痛の原因になっていた。その解決策として、ハンドルポストを畳まずに取手として利用するしかなかったが、ハンドルが横に広がったままなので、人混みの多い場所では使いにくかった。この課題を解消するためになされたものである。
【課題を解決するための手段】
【０００２】  二分割式折り畳み自転車を折り畳んだ状態で９０度倒立できるように自転車のシートチューブやシートポストまたはサドルの後部やその周辺に駐輪兼移動用の車輪を取り
0003172778.tif 000005
【考案の効果】
【０００３】  折り畳み自転車の折り畳み箇所を必要最低限に止め高い剛性を維持して高性能な走りを可能にした。また９０度倒立させることで上からの投影面積を小さく収めることで駐輪面積の省スペース化を可能にした。更に移動の際は、横にコンパクトに縦方向には程良い高さでヘッドチューブやフロントホイールが持ち手の位置にくるので腰を屈めずに移動できるようになった。
【課題を解決するための手段】
【０００４】  取り付け台座が３６０度自由に回転する自由車輪４．をシートチューブ３やサドル８．またはシートポスト９．の後部やその周辺に取り付ける。メインフレーム１．とリヤフレーム２．の接続部５ｂ．に補助輪６．を取り付ける。
【図面の簡単な説明】
【０００５】
【図１】  本考案の取り付け位置を示した側面図である。
【図２】  本考案の使用状態を示す側面図である。
【符号の説明】
【０００６】  １．メインフレーム
２．リアフレーム
３．シートチューブ
４．自由車輪
５ａ  接続部メインフレーム側
５ｂ  接続部リアフレーム側
６．補助輪
７．ヘッドチューブ
８．サドル
９．シートポスト
１０．フロントホイール
【手続補正３】
【補正対象書類名】図面
【補正対象項目名】全図
【補正方法】変更
【補正の内容】
【図１】
0003172778.tif 000006
【図２】
0003172778.tif 000007
(57)【要約】      （修正有）【課題】従来パチンコ台の釘の幅がわかる道具を持っている者は、主にパチンコ屋の店長か釘師と言われる専門職の方であった。これにより、一般のパチンコ遊技者には、パチンコ台の釘がどのくらい開いているかが、視覚的にわかりにくかった。そこで、一般のパチンコ遊技者にも、パチンコ台の釘がどのくらい開いているか視覚的にわかりやすくするライターを提供する。【解決手段】一般のパチンコ遊技者の多数の方が持ち歩いているライターに、側面と底面に平行に二本並べた線を多種類付けてライターを構成する。【選択図】図１
0003172771.tif 000002
【実用新案登録請求の範囲】
【請求項１】
ライターの側面、底面に直接プリントされた幅線が多種類付けていることを特徴とする。
【請求項２】
ライターの側面、底面に、多種類の幅線が印刷されたシールが付いていることを特徴とする。
【請求項３】
ライターの側面、底面に凹凸を付け、その凹凸が幅線と同じ効果をもつものを特徴とする。
【請求項４】
ライターの側面、底面に蛍光性のあるもので直接プリントされた幅線を多種類付け、暗い場所においてもわかりやすくなるものを特徴とする。
【請求項５】
ライターの側面、底面に幅線の片側を基準線とするものを特徴とする。
【考案の詳細な説明】
【技術分野】
【０００１】本考案はクギ見ライターに関する。
【背景技術】
【０００２】従来、パチンコ台の釘の開き具合を調べる道具等は、主に専門的な方が使用するものであり、一般のパチンコ遊技者はパチンコ台の釘が開いているかどうかわかる道具を持ち合わせていなかった。それにより、パチンコ遊技者は、パチンコ台の釘が開いているかどうかは視覚的にわかりにくいものであった。
【先行技術文献】
【特許文献】
【０００３】
【特許文献１】特許公開平１０−４３３７４
【特許文献２】実用新案公開平６−３６６７５
【考案の概要】
【考案が解決しようとする課題】
【０００４】一般のパチンコ遊技者は、パチンコ台の釘がどのくらい開いているかが視覚的にわかりにくい。【０００５】本考案は、以上のような従来の欠点に鑑み、一般のパチンコ遊技者が日頃よく持ち歩いているライターに、パチンコ台の釘がどのくらい開いているかが視覚的にわかりやすくするための幅線を付けてあるクギ見ライターを提供する事を目的としている。
【課題を解決するための手段】
【０００６】パチンコ遊技者が比較的よく持ち歩いているライターの側面、底面に幅線を多種類つけたものを提供する。
【考案の効果】
【０００７】（１）ライターの側面、底面に幅線を多種類付けてあるもので構成されている。したがって、一般のパチンコ遊技者にもパチンコ台の釘が視覚的に分かりやすくすることができる。【０００８】（２）請求項２、３、４、５も前記（１）と同様の効果が得られる。
【図面の簡単な説明】
【０００９】
【図１】本考案を実施するための最良の第一の形態の全体図である。
【図２】本考案の実施するための最良の第一の形態の底面図である。本考案の特徴的な部分を表している。実施する形態により図の部分が、シールでできていたり、凹凸にであったり、幅線の片側が一本であったりする。
【考案を実施するための形態】
【００１０】ライターの側面、底面に幅線を多種類付けてあるもので構成している。
【実施例】
【００１１】ライターの側面、底面に、多種類の幅線が印刷されたシールが付いているもので構成されている。【００１２】ライターの側面、底面に幅線と同じ効果をもつ凹凸を付けてあるもので構成されている。プリントされた幅線では線が薄くなったり、消えたりする可能性があるが、これによりそういった事を予防することができる。【００１３】ライターの側面、底面に蛍光性のあるもので直接プリントされた幅線を多種類付けてあるもので構成されている。これにより。暗い場所においてもわかりやすくなる。【００１４】ライターの側面、底面に幅線の片側を基準とするもので構成されている。
これにより、パチンコ遊技者により視覚的にわかりやすいものを提供できる。
【符号の説明】
【００１５】（１ａ）本考案の特徴である幅線を表している。
（２ａ）本考案の特徴である幅線を表している。実施する形態により幅線を表す仕方が異なる。
（３ａ）請求項５の詳細。片側を基準線とすることで線の数を少なくし、使用者見やすいようにできている。
【図１】
0003172771.tif 000003
【図２】
0003172771.tif 000004
【手続補正書】
【提出日】平成23年10月13日(2011.10.13)
【手続補正２】
【補正対象書類名】実用新案登録請求の範囲
【補正対象項目名】請求項１
【補正方法】変更
【補正の内容】
【請求項１】
ライターの側面、底面に直接プリントされた平行に２本並べた線が多種類付けていることを特徴とするライター。
【手続補正３】
【補正対象書類名】実用新案登録請求の範囲
【補正対象項目名】請求項２
【補正方法】変更
【補正の内容】
【請求項２】
ライターの側面、底面に、多種類の平行に２本並べた線が印刷されたシールが付いていることを特徴とするライター。
【手続補正４】
【補正対象書類名】実用新案登録請求の範囲
【補正対象項目名】請求項３
【補正方法】変更
【補正の内容】
【請求項３】
ライターの側面、底面に凹凸を付け、その凹凸が平行に２本並べた線と同じ効果をもつものを特徴とするライター。
【手続補正５】
【補正対象書類名】実用新案登録請求の範囲
【補正対象項目名】請求項４
【補正方法】変更
【補正の内容】
【請求項４】
ライターの側面、底面に蛍光性のあるもので直接プリントされた平行に２本並べた線を多種類付け、暗い場所においてもわかりやすくなるものを特徴とするライター。
【手続補正６】
【補正対象書類名】実用新案登録請求の範囲
【補正対象項目名】請求項５
【補正方法】変更
【補正の内容】
【請求項５】
ライターの側面、底面の部分に、一つの線を基準線として、基準線との間隔が違う平行線が何種類も引いてあるものを特徴とするライター。
(57)【要約】【課題】プラスチック製の皿でありながら高級感や寿司を盛り付けるにぴったりな清涼感を醸し出させるべく、オパールガラスやアラバスターガラスの様な透明感のある乳白色を呈する皿を提供する。【解決手段】回転寿司用皿を無色透明プラスチックにて成形し、回転寿司用皿の少なくとも寿司載置面２を無色透明の艶消し塗料で塗装する。【選択図】図１
0003172723.tif 000002
【実用新案登録請求の範囲】
【請求項１】
無色透明プラスチックにて成形され、少なくとも寿司載置面を無色透明の艶消し塗料で塗装したことを特徴とする回転寿司用皿。
【考案の詳細な説明】
【技術分野】
【０００１】
本考案は、回転寿司店で使用する寿司などを載せる皿に関する。
【背景技術】
【０００２】
従来より回転寿司店では、パレットコンベア上に寿司などを盛ったプラスチック製の皿を載せて巡回搬送させ、この搬送中の皿列から好みの寿司が盛られた皿を客が選び取って食し、皿は寿司の価格に応じて寿司載置面の縁取りや絵柄などが異なっているので、食事後は、客が選び取った皿の枚数を数えることで精算される（例えば、特許文献１参照）。
【０００３】
上記の縁取りや絵柄などは多種多様であり、例えば特許文献２には、寿司載置面の縁取りとして広告が印刷された皿が開示され、特許文献３では、轆轤目と称する周回条痕を寿司載置面に形成し、陶器風の高級感を醸し出す様にした皿が開示されている。
【先行技術文献】
【特許文献】
【０００４】
【特許文献１】特開２００１−２２２７７２号公報
【特許文献２】特開２００２−３１１８７５号公報
【特許文献３】特開２００５−２１８７３７号公報
【考案の概要】
【考案が解決しようとする課題】
【０００５】
しかしながら、上記のいずれの皿も割れずに安全にパレットコンベアから客が取り出せる様にプラスチック製で形成されるため、特許文献３の様に寿司載置面に轆轤目に似た周回条痕を形成するだけでは、皿に高級感を醸しださせるには遠く及ばなかった。
【０００６】
そこで、本考案では、プラスチック製の皿でありながら高級感や寿司を盛り付けるにぴったりな清涼感を醸し出させるべく、オパールガラスやアラバスターガラスの様な透明感のある乳白色を呈する皿を提供することを目的としている。
【課題を解決するための手段】
【０００７】
上記課題に鑑み、本考案の回転寿司用皿は、無色透明プラスチックにて成形され、少なくとも寿司載置面を無色透明の艶消し塗料で塗装したことを特徴とする。
【考案の効果】
【０００８】
要するに本考案は、無色透明プラスチックにて成形され、少なくとも寿司載置面を無色透明の艶消し塗料で塗装すると、その塗装の乾燥後に、寿司載置面はオパールガラスやアラバスターガラスの様な透明感のある乳白色を呈する。
これにより、寿司が盛り付けられる寿司載置面は大理石の様な質感を呈して、プラスチック製の皿でありながら高級感や寿司を盛り付けるにぴったりな清涼感を醸し出させられ、その皿上の寿司をより一層おいしく食することができる等その実用的効果甚だ大である。
【図面の簡単な説明】
【０００９】
【図１】本考案に係る皿の斜視図である。
【考案を実施するための形態】
【００１０】
以下本考案の実施の一形態例を図面に基づいて説明する。
本考案に係る回転寿司用皿１は、例えばＡＢＳ樹脂などから成る無色透明プラスチックにて一体成形されており、所定直径を有する平面視正円形にして、周縁が外方へ傾斜すると共に、中央がほぼ平らな曲率半径の大きい凹面状の寿司載置面２を上面に形成した盛り付け部３と、該盛り付け部３の底面中央に垂下した所定の高さ、肉厚及び外径を有する円筒形状の脚部４とから構成されている。
【００１１】
そして、少なくとも盛り付け部３の上面全体、即ち寿司載置面２を無色透明の艶消し塗料でスプレー塗装する。
尚、寿司載置面２に限定されることなく、必要に応じて皿１（盛り付け部３及び脚部４）の全表面を艶消し塗料で塗装しても良い。
【００１２】
艶消し塗料は、無色透明なアクリル樹脂塗料に艶消し剤を適宜配合したものであり、この艶消し塗料を上記の様に寿司載置面２全体に塗装し、乾燥することにより、寿司載置面２はオパールガラスやアラバスターガラスの様な透明感のある乳白色を呈する。
【００１３】
図示例では、寿司載置面２中央に所定半径の絵柄（青海波）５をパッド印刷にて転写している。
尚、絵柄５は、寿司載置面２の中央に限定されることなく、寿司載置面２の周縁2aに施しても良い。
【符号の説明】
【００１４】
１  回転寿司用皿
２  寿司載置面
【図１】
0003172723.tif 000003
(57)【要約】      （修正有）【課題】シャープペンと消しゴムをつけたポールペンを、並べて一体化することで、事務効率の向上を図ることを可とした筆記具を提供する。【解決手段】シャープペンとボールペンを二本並べて、二本の軸の中心をプラスック・金属で作成した器具で結合させる。器具は結合させるとともにそれぞれの筆記具を回転させる。ボールペンの軸の殻側には消しゴムをつけて、シャープペンで書いた文字等を消したりすることができるので書いたり消したりの動作が速くなる。また、消しゴムのは本や書類ページメクリにも利用できるので、事務仕事の効率がよくなる。二本を並べて回転することにより、シャープペン、ボールペン、消しゴムの三種の利用ができる。【選択図】図１
0003178790.tif 000002
【実用新案登録請求の範囲】
【請求項１】
２本の異なる筆記具を並べて結合し、回転させて使用することにより文字や図を書いたり消したりの動作を早くすることができる。
【考案の詳細な説明】
【先行技術文献】
【特許文献】
【０００１】
【特許文献１】出願番号  特許出願２００８−２７９９００  公開番号  特許公開２００９−１３２１４８
【考案の概要】
【考案が解決しようとする課題】
【０００２】
文書を書いたり、計算事務をする際に、文字を書いたり消したりの動作をできるだけ早くしたい
【課題を解決するための手段】
【０００３】
事務仕事を早くするためには、文字を書いたり消したりの動作をできるだけ早く行うことが必要である。シャープペンとボールペンを２本並べて軸の中心で２本を結合し回転できるようにした。ボールペンの頭の部分に消しゴムを取り付けシャープペンの平行になるように並べる。消しゴムはページや伝票めくりにも利用できる。また、消しゴムを取り損なって机の下に落ちたり、遠くに飛んでいくことを防止できる。
【考案の効果】
【０００４】
シャープペンと消しゴムをつけたボールペンを並べることにより、書いたり消したりの動作が速くなる。消しゴムを持ちそこなって机の下に落としたり、遠くに飛んでいくことを防止できる。また書類のページめくりにも利用できるので事務仕事の時間が短縮できる。
シャープペン、ボールペン、消しゴムの三種の機能が利用できる
【図面の簡単な説明】
【０００５】
【図１】シャープペンとボールペンを二本並べて、二本の軸の中心をプラスック・金属で作成した器具で結合させる。器具は結合させるとともにそれぞれの筆記具を回転させる。ボールペンの軸の殻側には消しゴムをつけて、シャープペンで書いた文字等を消したりすることができるので書いたり消したりの動作が速くなる。また、消しゴムのは本や書類ページメクリにも利用できるので、事務仕事の効率がよくなる。
【図２】二本を並べて回転することにより、シャープペン、ボールペン、消しゴムの三種の利用ができる
【図１】
0003178790.tif 000003
【図２】
0003178790.tif 000004
【手続補正書】
【提出日】平成24年7月27日(2012.7.27)
【手続補正１】
【補正対象書類名】実用新案登録請求の範囲
【補正対象項目名】全文
【補正方法】変更
【補正の内容】
【実用新案登録請求の範囲】
【請求項１】
別種類の筆記具を上下回転するように結合した筆記具
(57)【要約】      （修正有）【課題】カメラに装着する事で、片手による撮影を簡単にした筒型グリップを提供する。【解決手段】カメラ底部の三脚穴部分に、土台２にあるネジ３によって取り付けられるグリップ１であって、グリップ１部分は上部に穴が設けられた筒型で、土台２上の端に接合されており、カメラに取り付けた際にはシャッター部に近い方の側面に近接し、筒の穴は指一本が容易に出し入れ可能な広さと深さがあり、カメラを持つ際には筒の穴に中指を入れ、カメラ底部に親指、シャッター部に人差し指を当てて保持することで、安定して片手でカメラを操作することが可能となり、さらに前記土台２の中心の細長い溝穴をスライドできるネジ３を設置したことで、ネジ３が溝穴の中を自由に動くことができ、カメラによって異なる三脚穴のそれぞれの位置に対応して取り付けられることができる。【選択図】図１
0003178787.tif 000002
【実用新案登録請求の範囲】
【請求項１】
指を筒型グリップの穴の中に入れ、他の指で外側を握る。また指を入れずに、掌だけでも握ることのできるグリップ。
【請求項２】
筒型グリップは、カメラの様々なサイズに対応して取り付けできる筒型グリップ。
【考案の詳細な説明】
【技術分野】
【０００１】  本考案は、コンパクトカメラに筒型グリップを取り付けた、カメラグリップに関するものである。
【背景技術】
【０００２】  コンパクトカメラはボディーが小さいため、ホールディングがしにくく、うっかり落下してしまう事が多々ある。
従来のグリップは、握るという行為を意識しないと落下したり、使用者の手の大きさの違いや、様々なカメラのサイズに対応したグリップでは無かった。
【特許文献１】特願２００７−６９９８５号公報
【考案の概要】
【考案が解決しようとする課題】
【０００３】  コンパクトカメラは小さいため掌に収まり難く、ボタンや画面などが多く配置されているので、指先でつまみながら撮影している場合が多く、片手では容易にボタン設定や撮影が困難の為、両手で持って撮影する事が多い。
片手がふさがっている場合や、片手が不自由な人は手軽にカメラ撮影できず、前述の欠点を解決しようとするものである。
従来の指穴を設けたカメラグリップでは、使用者の手のサイズの違いに対応できていない。使いたい時に直ぐに指を挿入できなかったり、指の出し入れがしにくい。
【課題を解決するための手段】
【０００４】  本考案は、土台２の穴部分にスライドネジ３・４を入れて調節することで、カメラによって異なる三脚穴の位置にも対応した。
指の大きさに対しても、サイズの違う筒型グリップを交換可能にして、使用者が自分に合ったサイズで使えるようにした。
【考案の効果】
【０００５】  上記のように、本考案の筒型グリップは指を筒の穴の中に出し入れしやすく、掌に収まりやすい。また、スライドネジ３と４によって、様々なカメラのサイズや三脚穴の位置の違いへの対応を可能にしたことで、多くのコンパクトカメラの使用者に役立つ。
【考案を実施するための最良の形態】
【０００６】    カメラの底部に土台２の外側からスライドネジ３を三脚穴に装着して、筒型グリップ底部のスライドネジ４は、全体の長短のバランスでスライドさせて調節する。
【実施例】
【０００７】  以下、添付図面に従って一実施例を説明する。
図１は、筒型グリップの斜面図である。１は耐久性のプラスチック等適宜素材にて筒型のグリップ本体、２はグリップとカメラを連結する金属で、周囲をゴム・ビニール素材などで覆っている。中央の細長い穴からスライドネジ３をカメラの三脚穴に装着。図３は、カメラをスライドネジ３で装着した斜面図である。スライドネジ４はカメラサイズの違いによる長短を調整して固定する。【０００８】  本考案の一実施例は上述の如き構成からなるものであるから、筒型グリップの形は円形に限らず、三角形・四角形・六角形・楕円形など筒型の形状に指を挿入して、その廻りを握るグリップである。
【図面の簡単な説明】
【０００９】
【図１】本考案の筒型グリップの実施例を示す斜面図である。
【図２】本筒型グリップの上面図である。
【図３】本筒型グリップにカメラを装着した斜面図である。
【図４】本筒型グリップとカメラと手の正面使用関係図である。
【図５】本筒型グリップとカメラと手の裏側使用関係図である。
【符号の説明】
【００１０】１  筒型グリップ本体
２  土台
３  ネジ
４  ネジ
【図１】
0003178787.tif 000003
【図２】
0003178787.tif 000004
【図３】
0003178787.tif 000005
【図４】
0003178787.tif 000006
【図５】
0003178787.tif 000007
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
カメラ底部の三脚穴部分に、土台にあるネジによって取り付けられるグリップであって、グリップ部分は上部に穴が設けられた筒型で、土台上の端に接合されており、カメラに取り付けた際にはシャッター部に近い方の側面に近接し、筒の穴は指一本が容易に出し入れ可能な広さと深さがあり、カメラを持つ際には筒の穴に中指を入れ、カメラ底部に親指、シャッター部に人差し指を当てて保持することで、安定して片手でカメラを操作することが可能な筒型グリップ。
【請求項２】
前記土台の中心の細長い溝穴をスライドできるネジを設置したことで、ネジが溝穴の中を自由に動くことができ、カメラによって異なる三脚穴のそれぞれの位置に対応して取り付けられることができる請求項１記載の筒型グリップ。
(57)【要約】      （修正有）【課題】滑らない、力強い握りを実現し、安定した振りを可能とする竹刀を提供する。【解決手段】竹刀柄部に四角形または三角形または丸形の彫りを入れる事により、滑りにくく、力強い握りを実現し、安定した竹刀の振りを実現させることができる。【選択図】図３
0003178784.tif 000002
【実用新案登録請求の範囲】
【請求項１】
剣道の稽古・試合などに使用する竹刀、古来よりの柄が丸型・小判型（楕円型）の竹刀に比べ本考案品である竹刀の柄に彫り・刻みを入れる事により滑りにくくなり、握りの安定した竹刀の振りができるようになる。また竹刀が小判型（楕円形）の特殊な竹刀の場合、竹刀が折れた際に竹刀割子を変えるという事が困難である。本考案品は柄に彫り・刻みを入れる特殊な竹刀でありながら竹刀割子を容易に交換する事が可能である。
【考案の詳細な説明】
【技術分野】
【０００１】  本考案は、竹刀の柄に彫り・刻みを入れる事により、今までにない竹刀の地から強い握りを実現した特殊な竹刀である
【背景技術】
【０００２】  一般的に剣道稽古時・試合時など竹刀を使用する際、握りが滑りやすく安定した竹刀の振り・打ち込みが困難であった。
【考案の概要】
【考案が解決しようとする課題】
【０００３】  従来の竹刀には、次のような解決すべき課題があった。
剣道の活動時（稽古・試合等）竹刀の握りが滑り、竹刀を落としてしまうことがある。これは反則行為となる。また、打突時に竹刀の握りが滑ることにより強い力での打ち込みが困難である。これらを解決することが、剣道技術向上へと繋がる。
【課題を解決するための手段】
【０００４】竹刀柄部に彫り・刻みを入れる事に従来品に比べ滑らない・力強い握りを実現し、安定した竹刀の振りを実現させることができる。
【考案の効果】
【０００５】本考案の竹刀は、剣道活動をする老若男女を問わず、全ての剣道家の竹刀握りが安定し、より快適な素振り・打ち込み稽古・試合を行うことができるようになる。
【考案を実施するための最良の形態】
【０００６】  以下、本考案を図の具体例を用いて詳細に説明する。
【符号の説明】
【０００７】［図１］図１は竹刀全体概要図である。Ａ＝竹刀上部打突部、Ｂ＝竹刀割子、Ｃ＝柄部、Ｄ＝鍔。
［図２］図２は竹刀裸全体概要図である。Ａ＝竹刀全体、Ｂ＝竹刀割子、Ｃ＝柄・彫り・刻み部。
［図３］図３は図２で説明したＣ＝柄部の断面図である。Ａ＝竹刀割子、Ｂ＝彫り・刻み、ａ＝彫り・刻み幅、ｂ＝彫り・刻み深さ。
【図１】
0003178784.tif 000003
【図２】
0003178784.tif 000004
【図３】
0003178784.tif 000005
【手続補正書】
【提出日】平成24年3月24日(2012.3.24)
【手続補正１】
【補正対象書類名】実用新案登録請求の範囲
【補正対象項目名】全文
【補正方法】変更
【補正の内容】
【実用新案登録請求の範囲】
【請求項１】
柄部に飾りを入れた竹刀。
【手続補正２】
【補正対象書類名】明細書
【補正対象項目名】全文
【補正方法】変更
【補正の内容】
【考案の詳細な説明】
【技術分野】
【０００１】本考案は、竹刀の柄部に四角形または、三角形または、丸形の彫りを入を入れる事により、今までにない竹刀の力強い握りを実現した特殊な竹刀である。
【背景技術】
【０００２】一般的に剣道稽古時・試合時など竹刀を使用する際、握りが滑りやすく安定した竹刀の振り・打ち込みが困難であった。
【考案の概要】
【考案が解決しようとする課題】
【０００３】従来の竹刀には、次のような解決すべき課題があった。
剣道活動時（稽古・試合等）竹刀の握りが滑り、竹刀を落としてしまうことがある。これは反則行為となる。また、打突時に竹刀の握りが滑ることにより力強い力での打ち込みが困難である。これらを解決することが、剣道技術向上へと繋がる。
【課題を解決するための手段】
【０００４】竹刀柄部に四角形または、三角形または、丸形の彫りを入れる事により、従来品に比べ滑らない・力強い握りを実現し、安定した竹刀の振りを実現させることができる。
【考案の効果】
【０００５】本考案の竹刀は、剣道活動をする老若男女を問わず、全ての剣道家の竹刀の握りが安定し、より快適な素振り・打ち込み稽古・試合を行うことができるようになる。
【考案を実施するための最良の形状】
【０００６】以下、本考案を図の具体例を用いて詳細に説明する。
【図面の簡単な説明】
【０００７】
【図１】図１は竹刀全体概要図である。
【図２】図２は竹刀裸全体概要図である。
【図３】図３は図２で説明したＣ＝柄部の断面図である。
【符号の説明】
【０００８】［図１］Ａ＝竹刀上部打突部、Ｂ＝竹刀割子、Ｃ＝柄部、Ｄ＝鍔。
［図２］Ａ＝竹刀全体、Ｂ＝竹刀割子、Ｃ＝柄・彫り・刻み部。
［図３］Ａ＝竹刀割子、Ｂ＝彫り・刻み、ａ＝彫り・刻み幅、ｂ＝彫り・刻み深さ。
(57)【要約】      （修正有）【課題】貴金属メッキの異素材パーツを組み合わせて封入及び接続することで、よりグレードアップした商品展開が出来るファッションパーツを提供する。【解決手段】飴を一度樹脂でコーティングし、固定した時点で、上から更に貴金属メッキを施した異素材のプレートやパーツを数度に分けて封入及び接続することで、更なるデザインのバリエーションを広げる。さらに、飴の樹脂封入パーツだけでは、ファッションパーツとして多種に活用出来ぬ故、限られたスペースでは有るが外壁に小さな穴を切削加工で開ける。その後特別に軸の短いピンや金具を埋め込み、吊り下げ、取り付けのできる部品として仕上げる。【選択図】図１
0003178716.tif 000002
【実用新案登録請求の範囲】
【請求項１】
飴を一度樹脂でコーティングし、固定した時点で、上から更に貴金属メッキを施した異素材のプレートやパーツを数度に分けて封入及び接続することで、更なるデザインのバリエーションを広げる事が可能と成ったファッションパーツ。
【考案の詳細な説明】
【技術分野】
【０００１】
本考案は、飴と異素材部品の樹脂複合封入及び接続組み合わせに関するものである。
【背景技術】
【０００２】
本来砂糖菓子である飴をその物自体の手作りによる優れた色及び表面デザインの芸術性と異素材部品を透明樹脂で同時封入及び接続することに依り更なるデザイン性を高めた事が利点である。アクセサリーパーツ、服飾付属品、生活雑貨品への活用へと素材の商圏を大きく広げる物である。
【０００３】
本来、本物の飴自体が直射日光及び人工的な蛍光灯等の長時間照射に因り、変色色褪せを起こし易いという欠点が有った。  然しながら樹脂コーティングを施す事により 樹脂の屈折率透過性による光の直射を防ぐ事となり色褪せを起しにくくすることに成功した。  尚且つ、飴の製造時、梱包輸送時に生じた表面の白濁した傷、発生した粉体等を覆い隠し、本来の飴以上の鮮やかな色彩を成し得、同時に衝撃等に因り非常に破損し易かった飴の欠点をもカバーした。  然しながら、従来製造される澱粉質の水あめと白砂糖との混合比に依る飴のままでは樹脂封入作業時の湿度温度に因り含有される水分を原因として計時変化による白化現象は避けられなかった。そこでコーティングする事を前提に、現場の優秀な飴職人の協力による度重なる実験により、濃度硬度を微妙に調整した溶解率の低い適切な硬質の飴を得る事が出来た。
【０００４】
飴を一度樹脂でコーティングし、固定した時点で、上から更に貴金属メッキを施した異素材のプレートやパーツを数度に分けて封入及び接続することで、更なるデザインのバリエーションを広げる事が可能と成った。  飴本来の芸術的な柄模様を生かし、他素材を封入及び接続する事により洋風な商品展開をも可能とさせた。  出来得る限り色彩を損なわざるべく薄手のプレートや小さい金属パーツなどを選定、配置に配慮する。
【０００５】
飴の樹脂封入パーツだけでは、ファッションパーツとして多種に活用出来ぬ故、限られたスペースでは有るが外壁に小さな穴を切削加工で開ける。その後特別に軸の短いピンや金具を埋め込み、吊り下げ、取り付けのできる部品として仕上げる。その微細なネジやピン先を接着で固定する作業は、内部の飴の破損のみならず不用な空気や湿気の混入による内部の飴の劣化を起す場合が有り熟練の技術を要する。
【考案の概要】
【考案が解決しようとする課題】
【０００６】
解決しようとする問題点は、砂糖菓子である飴は極めて湿気に弱く、濁り劣化を起し易いことである。樹脂封入前に手で触る事に依っても湿気を含み、封入後にきれいな 透明度を失う事が有る。  特に薄い飴の色は劣化しやすく封入後数日で、変色する事も有り得る。
【課題を解決するための手段】
【０００７】
飴の封入時に湿気を含む時間を短縮する為、また加工の時間短縮をも考慮し、500ｇ（直径1ｃｍの飴で約500粒）に小分けして保存する。加工直前に袋を開封して、迅速に加工する。  事前に注入する樹脂を容器ごと及び注形型を真空タンク内にて脱泡、脱湿を行い注形物内部の泡、水分の混入を防ぐ。  樹脂注形後、再度樹脂硬化前に真空タンク内にて脱泡、脱湿を徹底する。  また薄い色の劣化防止策として、飴工場の協力のもと、封入飴用として特別に 材料の混合比、食紅調色の配合比を調整する。特に変色劣化しやすい薄いピンクや紫は特別の配慮を持って調整する。
【考案の効果】
【０００８】
通常の樹脂製パーツは印刷や調色成形品が主流ではあるが、デザインごとに製版や金型を起こし且つ大量に生産しなければならない。その為デザインのバリエーションを増やす上で、かなりの初期コストが掛かるという難点があった。飴を封入し、複合素材を同時封入及び接続を手作業で行う事によって、鮮やかなパーツがデザイン豊富に少量で製作できることが利点である。また高級感の有る貴金属メッキの異素材パーツを組み合わせることで、よりグレードアップした和調に拘らない商品展開が出来ることが利点である。
【図面の簡単な説明】
【０００９】
【図１】図1は飴と異素材複合部品との多種多様な組み合わせ部品を示した説明図（封入正面図）
【図２】図2は飴と異素材複合部品との多種多様な組み合わせ部品を示した説明図（封入側面図）
【図３】図3は飴と異素材複合部品との多種多様な組み合わせ部品を示した説明図（接続正面図）
【図４】図4は飴と異素材複合部品との多種多様な組み合わせ部品を副資材と組み合わせた最終商品仕様。（仕様の参考例）
【考案を実施するための形態】
【００１０】
生産初期コストを軽減し、複合素材を同時封入及び接続する事によって、鮮やかなパーツがデザイン豊富に少量で製作できることを実現した。
【実施例】
【００１１】
図1は、本考案の1実施例の正面図であって、飴と異素材部品の樹脂複合封入を実現した図である。図2と同様である。
【００１２】
図3は、本考案の1実施例の正面図であって、飴と異素材部品の樹脂複合接続を実現した図である。
【産業上の利用可能性】
【００１３】
高級感の有る貴金属メッキの異素材パーツを組み合わせて封入及び接続することで、よりグレードアップした和調に拘らない商品展開が出来ることが利点である。服飾資材、ボタン類、アクセサリー、インテリア装飾など幅広いファッションパーツとして適用できる。
【符号の説明】
【００１４】
1ストラップ
2キーホルダー
3ストラップ、チャーム
4アクセサリー金具
【図１】
0003178716.tif 000003
【図２】
0003178716.tif 000004
【図３】
0003178716.tif 000005
【図４】
0003178716.tif 000006
(57)【要約】      （修正有）【課題】ダンボールの良質な素材を生かした靴中敷きを提供する。【解決手段】ダンボールに、靴下に付かないようにカラフルな種類の色を付け、各靴サイズに適合した一対の靴中敷きを製作する。ダンボールの持つ保温性、通気性が快適さを向上させ、着色効果により、美的効果を向上させる。【選択図】図１
0003178791.tif 000002
【実用新案登録請求の範囲】
【請求項１】
靴底に、コストが安く付くダンボールを敷き、１５日位で使い捨てに出来る。そしてカラフルな色の種類を付けて、その色が、靴下に付かないようにした靴底敷きです。
【考案の詳細な説明】
【技術分野】
【０００１】  ダンボールの良質な素材を生かした商品です。
ダンボールは通気性に良く、寒い時は暖かい、そして湿気にも良く、一足ごとに、おしゃれな感じで、色で分けて、その色が、靴下に色が付かないようにする事です。
【背景技術】
【０００２】  会社、工場、学校などで、同じ靴を履いている所があるが、皆がその靴を脱いで、置いておくと、自分の靴がどれか、同じ靴ばかりなので、分からなくなる、その時、靴底敷の色が、おしゃれな感じで、色々な種類に分けられてあれば、靴底敷きの色で、自分の靴が、すぐに分かる目印になります。
【考案の概要】
【考案が解決しようとする課題】
【０００３】  今までの靴底敷は、丈夫で暖かそうで、色が黒っぽい物が多かった。
だから、丈夫な物は長く使う、暖かい物は、蒸れて臭いが篭る。それを解消するのには、ダンボールは通気性は良いし、湿気は吸い取るし、臭いはしないし、１５日位で使い捨てして、新しい靴底敷を使えば、靴底が常に清潔を保ち安心です。
【課題を解決する手段】
【０００４】  最近、靴を洗う人が、少ないので、靴下を洗うか、靴底敷を一ヶ月か二ヶ月で買い替える。しかし冬物の暖かい靴底敷なら、１５日位で蒸れて来て、匂いも篭って来る、安いダンボールなら、簡単に使い捨てが出来るので、安心です。
弱点は水に濡れると駄目です。雨降りの時に、靴が濡れて、雨が中まで入って、靴底敷に染みると、ダンボール靴底敷は駄目です。その時は、一度、靴の中を乾燥してから、新しい靴底敷を使って下さい。
【考案の効果】
【０００５】  安いダンボールを使用すれば、約１５日間隔で、使い捨てして、又新しこの「使い捨て、おしゃれ靴底敷」は、会社、工場、学校など、同じ靴を履いている所で、  集会、食堂で靴を脱いでも、靴底が白、赤、青、黄色と色々あるから、靴底敷の色で、自分の色が分かるから、他人の靴と間違わないですむ、そして長靴を履いている工場の人達などは、１日中、長靴を履いている、その人達は、水虫に悩まされている人達が多いと聞きますが、「使い捨て、おしゃれ靴底敷」を使えば、通気性が良く、湿気に良い、１５日間隔で新しい、この「使い捨て、おしゃれ靴底敷」を使用すれば、水虫予防にもなります。
たかがダンボール、されどダンボールです。
【図面の簡単な説明】
【図１】  本考案の靴底敷の真上からの予想図
【図２】  本考案の靴底敷の横からの予想図
【符号の説明】  １、靴底敷の色、白、赤、青、黄、黒、その他色々
２、靴底敷のサイズ、２２ｃｍ〜２８ｃｍ、その他色々
３、ダンボールの素質の予想図
【図１】
0003178791.tif 000003
【手続補正書】
【提出日】平成24年7月12日(2012.7.12)
【手続補正１】
【補正対象書類名】実用新案登録請求の範囲
【補正対象項目名】全文
【補正方法】変更
【補正の内容】
【実用新案登録請求の範囲】
【請求項１】
段ボールに、靴下に付かないようにカラフルな種類の色をつけた靴中敷き
【手続補正２】
【補正対象書類名】明細書
【補正対象項目名】全文
【補正方法】変更
【補正の内容】
【考案の詳細な説明】
【技術分野】
【０００１】  ダンボールの良質な素材を生かした商品です。ダンボールは通気性に良く、寒い時は暖かい、そして湿気にも良く、一足ごとに、おしゃれな感じで、色で分けて、その色が、靴下に色が付かないようにする
【背景技術】
【０００２】  会社、工場、学校などで、同じ靴を履いている所があるが、皆がその靴を脱いで、置いておくと、自分の靴がどれか、同じ靴ばかりなので、分からなくなる、その時、靴中敷の色が、おしゃれな感じで、色々な種類に分けられてあれば、靴中敷きの色で、自分の靴が、すぐに分かる目印になる
【考案の概要】
【考案が解決しようとする課題】
【０００３】  今までの靴中敷は、丈夫で暖かそうで、色が黒っぽい物が多かった。だから、丈夫な物は長く使う、暖かい物は、蒸れて臭いが篭る。それを解消するのには、ダンボールは通気性は良いし、湿気は吸い取るし、臭いはしないし、１５日位で使い捨てして、新しい靴中敷を使えば、靴中が常に清潔を保ち安心
【課題を解決する手段】
【０００４】  冬物の暖かい靴中敷なら、１５日位で蒸れて、匂いも篭って来る、安いダンボールなら、簡単に使い捨てが出来るので安心です。  弱点は水に濡れると駄目です。雨降りの時に、靴が濡れて、雨が中まで入って、靴中敷に染みると、ダンボール靴中敷は駄目です。その時は、一度、靴の中を乾燥してから、新しい、使い捨て、おしゃれ段ボール靴中敷を使って下さい。
【考案の効果】
【０００５】  この「使い捨て、おしゃれ、段ボール靴中敷」は、会社、工場、学校など、同じ靴を履いている所で、  集会、食堂で靴を脱いでも、靴中底が赤、青、黄、橙、桃、と色々あるから、靴中敷の色で、自分の色が分かるから、他人の靴と間違わないですむ
【０００６】  そして長靴を履いている工場の人達などは、１日中、長靴を履いている、その人達は、水虫に悩まされている人達が多いと聞きますが、「使い捨て、おしゃれ、段ボール靴中敷」を使えば、通気性が良く、湿気に良い、１５日間隔で新しい、この「使い捨て、おしゃれ段ボール靴中敷」を使用すれば、水虫予防にもなります。
【図面の簡単な説明】
【０００７】
【図１】本考案の靴中敷の真上からの予想図
【図２】本考案の靴中敷の横からの予想図
【符号の説明】
【０００８】１、靴中敷の色、白、赤、青、黄、黒、その他色々２、靴中敷のサイズ、２２ｃｍ〜２８ｃｍ、その他色々３、ダンボールの素材の予想図
【手続補正３】
【補正対象書類名】図面
【補正対象項目名】全図
【補正方法】変更
【補正の内容】
【図１】
0003178791.tif 000004
【図２】
0003178791.tif 000005
(57)【要約】      （修正有）【課題】簡易な形状で、嗜好性の高いペットフードを提供する。【解決手段】加熱処理した肉類野菜類をペースト状２にし、その外側を、魚肉を乾燥させたシート３でロール状に巻き付け、棒状形状にするとともに、切り口４が棒状の長さに匹敵する広断面になるように斜めに裁断してなる。【選択図】図１
0003178794.tif 000002
【実用新案登録請求の範囲】
【請求項１】
加熱処理した肉類野菜類をペースト状にし、その外側を、魚肉を乾燥させたシートでロール状に巻き付け、棒状形状にするとともに、斜めに裁断することにより、両端が斜め形状の切り口を有することを特徴とするペットフード。
【請求項２】
前記切り口が棒状の長さに匹敵する広断面にしてなることを特徴とするペットフード。
【考案の詳細な説明】
【技術分野】
【０００１】
本考案は、嗜好性の高いペットフードに関する。
【背景技術】
【０００２】
一般的にペットフードには、大別してドライ型とウエット型とが有り、家庭で一般的に飼われている犬や猫に、主食用若しくはおやつ等の副食、或いは躾の褒美として与える等、その用途も多用に亘っているものです。
【０００３】
その際、嗜好性を維持向上させることがペットに与えることの重要な要因の一つとなっていました。例えば、次の特許文献１には、生肉ペーストを多層にコーティングさせた技術が開示されています。
【０００４】
【特許文献１】特開2010−57380
【考案の開示】
【考案が解決しようとする課題】
【０００５】
しかしながら、従来例の場合は、嗜好性を向上させる為、材料の異なる複数種類の生肉ペーストをコーティングし、更にそれを多層にする作業工程を必要とするものでした。
【０００６】
本考案は、係る作業工程を経ることなく、簡易な形状で、嗜好性の高いペットフードを提供することを目的とするものです。
【課題を解決するための手段】
【０００７】
前記課題を解決するため請求項1記載の考案にあっては、加熱処理した肉類野菜類をペースト状にし、その外側を、魚肉を乾燥させたシートでロール状に巻き付け、棒状形状にするとともに、斜めに裁断することにより、両端が斜め形状の切り口を有することを特徴とするものです。
【０００８】
請求項2記載の考案にあっては、前記切り口が棒状の長さに匹敵する広断面にしてなることを特徴とするものです。
【考案の効果】
【０００９】
本考案によれば、加熱処理した肉類野菜類をペースト状にし、その外側を、魚肉を乾燥させたシートでロール状に巻きつけて全体形状を棒状にするとともに、斜めに裁断することにより、該棒状の長さに匹敵する広断面の形状が斜め形状の切り口となるので、切り口の表面積が大きくなり、その表面積が大きくなった分だけ、風味が強くなり、嗜好性がより向上します。
【考案を実施するための最良の形態】
【００１０】
以下、本考案の一実施形態を図に従って説明する。図1は本考案の斜視図であり、図２は本考案の側面図です。
【００１１】
（第一の実施形態）
図1から図２に示すように、本実施形態を示す図です。
このペットフード１は、鶏肉、野菜、魚肉等からなる食材に従来の公知技術の方法により、熱を加え、混練、ペースト状にしたその混練物を押出成形したあと冷却し、当該成形物を適度の長さに斜めに切断したものです。
【００１２】
当該成形物は、その直径約１０ｍｍ〜１５ｍｍ、長さを約４ｃｍ〜８ｃｍ程で、全体を棒状の形状からなるペットフードであります。
【００１３】
当該ペットフード１は、棒状の形状の構成をその構成において、芯部（ペースト）２と、該芯部２の外周面を覆うように設けられてなる被覆部（シート）３とからなります。
【００１４】
当該芯部２は、加熱処理した肉類野菜類を混練、ペースト状にしてなるものです。本実施例においては、肉類は鶏肉のささみとしていますが、これに限定するものではありません。
【００１５】
当該被覆部３は、乾燥させた魚肉をシート状に約０．５ｍｍ程度の厚さにしてなるものです。本実施例においては、魚類は白身魚としていますが、これに限定するものではありません。
【００１６】
このようにしてなるペットフード１は、公知技術であります押出成形を用いて、熱を加え、混練したペースト状の混練物（肉類野菜類）を押出した後、冷却した当該混練物に乾燥させたシート状の魚肉（白身魚）を巻き付け、ロール状に形成するものです。
【００１７】
このようにして構成された芯部２と、被覆部３とからなるロール形状を適度の長さ（例示として４ｃｍ〜８ｃｍ程度）に両端を斜めに切断し、両端が斜め形状の切り口４，５を有する形状にしてなります。
【００１８】
係る切り口４，５を棒状の長さに匹敵する広断面の切り口４．５に形成することにより、
表面積が大きくなっただけ、風味が強くなり、嗜好性をより向上するものです。
【図面の簡単な説明】
【００１９】
【図１】は本考案の斜視図です。
【図２】は本考案の側面図です。
【符号の説明】
【００２０】
ペットフード        1
芯部（ペースト）    2
被覆部（シート）    ３
切り口              ４，５
【図１】
0003178794.tif 000003
【図２】
0003178794.tif 000004
【手続補正書】
【提出日】平成24年7月31日(2012.7.31)
【手続補正１】
【補正対象書類名】実用新案登録請求の範囲
【補正対象項目名】請求項２
【補正方法】変更
【補正の内容】
【請求項２】
前記切り口が棒状の長さに匹敵する広断面にしてなることを特徴とする請求項１記載のペットフード
(57)【要約】      （修正有）【課題】正確な時間制御と間欠動作による電池の消費電流を押える事を可能とする石油燃焼器用マイコン制御基板を提供する。【解決手段】電池駆動に適した安価なワンチップマイコンを使用する。ワンチップマイコンは、信号を検知する入力回路、入力回路の信号レベルを判定する判定回路、判定回路の結果より警報ブザーなどを動作させる出力回路を内蔵する。【選択図】図１
0003178735.tif 000002
【実用新案登録請求の範囲】
【請求項１】
芯上下式石油燃焼器用の電池を使用した燃焼制御装置であり、センサからの信号を検知する入力回路、該入力回路の信号レベルを判定する判定回路、該判定回路の結果より警報ブザーやソレノイドを動作させる出力回路を内蔵したワンチップマイコンで構成された事を特徴とする石油燃焼器用マイコン制御基板。
【請求項２】
芯上下式石油燃焼器用の電池を使用した燃焼制御装置であり、電池の電圧をモニターする入力回路、該入力回路の電圧レベルを判定する判定回路、該判定回路の結果により電池電圧低下の警報ランプを動作させたり、着火動作を停止させる出力回路を内蔵したワンチップマイコンで構成された事を特徴とする石油燃焼器用マイコン制御基板。
【考案の詳細な説明】
【技術分野】
【０００１】
本考案は、芯上下式石油燃焼器の電池駆動用制御基板に関するものである。
【背景技術】
【０００２】
サーミスタによる周囲温度検知やＣＯ２センサーからの異常信号により燃焼を停止する石油ストーブが市販されているが、燃焼を停止する簡単な制御であり、さらに製造コストを安くする必要性から、制御基板として、コンデンサと抵抗を組み合わせたＣＲタイマー、コンパレータ−ＩＣ、トランジスター等で構成されるアナログ回路の基板が使用されてきた。
【０００３】
しかし、コストの安い簡単なアナログ回路であるためその特性上、正確な時間制御により動作タイミングを作ったり、ＯＮとＯＦＦの動作時間すなわちデューティ比を自由に設定する事が難しかった。さらに基板回路への通電は常時となり電池駆動においてその電池寿命が短くなるという欠点があった。
【先行技術文献】
【特許文献】
【０００４】
【特許文献１】特許第３４６３７０８号
【考案の概要】
【考案が解決しようとする課題】
【０００５】
解決しようとする問題点は、正確な時間制御により動作タイミングを作ったり、デューティ比を自由に設定したり、電池寿命を延ばす事ができない点である。
【課題を解決するための手段】
【０００６】
本考案は、正確な時間制御と電池寿命を延ばすために、電池駆動に適したワンチップマイコンを使用する事を最も主要な特徴とする。
【考案の効果】
【０００７】
本考案の石油燃焼器用マイコン制御基板は、マイコンを使用する事により正確な時間制御とプログラムによる自由なデューティ比設定が可能であり、さらにワンチップマイコン内にＩ／Ｏポート回路、Ａ／Ｄコンバータ回路、コンパレータ回路、電圧検出回路、タイマー回路等の周辺回路が内蔵されているため、入出力ピン数が足りるのであれば、異なる仕様の制御基板であってもソフトの追加変更のみで済み、ハード的には基板を共通化する事ができる利点がある。
【図面の簡単な説明】
【０００８】
【図１】図１はマイコン制御基板の実施方法を示したブロック図である。（実施例１）
【考案を実施するための形態】
【０００９】
技術の進歩により最近は電池駆動に適した安価なワンチップマイコンが各社から発売されており、出力用のパワー素子を除き、基本的には必要な周辺回路が全てワンチップマイコン内に内蔵されている。したがって基板に実装する部品点数はアナログ回路より少なくて済み、さらに回路をマイコンが得意とする間欠動作とする事により消費電流を押え電池寿命を延ばすという目的を最小の部品点数で実現した。
【実施例１】
【００１０】
図１は、本考案石油燃焼器用マイコン制御基板の１実施例のブロック図であって、１はセンサ、２はワンチップマイコン、３はマイコン制御基板、４はランプ、５はブザー、６はパワー素子、７は点火器、８はソレノイド、９は電池である。
【００１１】
センサ１からの信号はワンチップマイコン２に入力され、該ワンチップマイコン２はプログラムに従って信号を処理する。信号を処理する方法としてはＡ／Ｄ変換またはコンパレータであり、予めプログラムされた判定基準にのっとり判定結果を出力する。該ワンチップマイコン２の出力は、ランプ４やブザー５等の比較的低電流で動作する素子に対しては直接駆動とし、１Ａ以上の大電流で駆動する点火器７やソレノイド８の装置に対してはパワー素子６を介しての駆動とする。
【００１２】
具体的な実施例として温度による燃焼制御を例にすると、センサ１にはサーミスターを使用し温度変化による電圧変化をワンチップマイコン２で監視し、該ワンチップマイコン２は設定温度に達した段階でパワー素子６にＯＮ信号を送る。該パワー素子６がＯＮする事によりソレノイド８が駆動し、該ソレノイド８は芯上下式石油燃焼器の芯上下軸に作用して、芯が上昇して燃焼位置にある場合はその芯を下降させ消化位置とし燃焼を停止させる。
【００１３】
また電池電圧低下時の制御を例にすると、ワンチップマイコン２に内蔵された電圧検出回路を利用し電池９の電圧を監視し、該電池９の電圧が設定電圧より低くなった場合にランプ４をＯＮとして電池電圧低下を警告すると共に、パワー素子６にＯＦＦ信号を送る。該パワー素子６がＯＦＦとなる事により点火器７は駆動せず、芯上下式石油燃焼器の芯が上昇して燃焼位置にあっても着火動作はせず、燃焼停止が継続される。
【００１４】
本考案の主体はアナログ回路の制御基板をワンチップマイコンの制御基板に変える事にあるので、詳細なマイコン動作や芯上下式石油燃焼器のメカニカルな動きについての説明は省略する。
【符号の説明】
【００１５】
１    センサ
２    ワンチップマイコン
３    マイコン制御基板
４    ランプ
５    ブザー
６    パワー素子
７    点火器
８    ソレノイド
９    電池
【図１】
0003178735.tif 000003